(57)【要約】【課題】  デスク上に書類を広げたままキーボードを引き出すことができ、書類を移動させる煩わしさを解消できるようにする。【解決手段】  本発明のディスプレイ台は、デスク上において使用するものであって、ディスプレイを載せる載せ台と、キーボードを載せるキーボード台と、載せ台とキーボード台とを連結する引き出し機構を備えたものである。キーボード台は、デスクに触れないように水平状態を維持したまま載せ台よりも前方へ引き出すことができるとともに、引き出された位置から載せ台の下側の収容空間に収容できるように載せ台に取り付けた。キーボード台は、引き出されたキーボード台の下側に筆記具等が収まる程度の空間が確保されるように設けたり、収容されたキーボード台上のキーボードを操作できる程度の空間が確保されるように設けたりすることができる。【選択図】図１
2018067079.tif 000002
【特許請求の範囲】
【請求項１】
デスク上に設置して、当該デスク上で使用するデスクトップ型パソコンのディスプレイを載せるディスプレイ台において、
前記ディスプレイを載せる載せ台と、キーボードを載せるキーボード台と、載せ台とキーボード台とを連結する引き出し機構を備え、
前記載せ台は、ディスプレイを載せる天面部と、当該天面部の長手方向両端に当該天面部を所定高さで支持する支持部を備え、
前記天面部と支持部で囲われた部分に、前記キーボード台が収まる広さの収容空間が形成され、
前記キーボード台は、デスクに触れないように水平状態を維持したまま載せ台よりも前方へ引き出すことができ、引き出された位置から載せ台の下側の収容空間に収容できるように、前記引き出し機構を介して前記載せ台の支持部に取り付けられた、
ことを特徴とするディスプレイ台。
【請求項２】
請求項１記載のディスプレイ台において、
キーボード台は、引き出したときにそのキーボード台の下側に筆記具等が収まる程度の空間が確保される位置に設けられた、
ことを特徴とするディスプレイ台。
【請求項３】
請求項１又は請求項２記載のディスプレイ台において、
キーボード台は、収容空間に収容されたときにそのキーボード台上のキーボードを操作できる程度の空間が確保される位置に設けられた、
ことを特徴とするディスプレイ台。
【発明の詳細な説明】
【技術分野】
【０００１】
本発明は、デスク上に載置して使用するディスプレイ台に関するものである。
【背景技術】
【０００２】
デスクトップ型パソコンのディスプレイを載せる台として、ディスプレイ載置部の下側にキーボードを収容可能なもの（特許文献１）が知られている。
【先行技術文献】
【特許文献】
【０００３】
【特許文献１】実用新案登録第３０７７５３１号公報
【発明の概要】
【発明が解決しようとする課題】
【０００４】
近年、文書作成や表計算、製図といった様々な用途にパソコンが用いられている。文書作成や製図などを行う場面では、パソコンを用いる作業（説明の便宜上、以下では「パソコン作業」という）と筆記具を用いる作業（説明の便宜上、以下では「筆記作業」という）を並行して行うことが少なくない。しかしながら、デスク上のスペースは限られていることから、筆記作業時には、キーボードをデスクの端に寄せるかディスプレイの前面や本体の側面に立て掛けるなどして書類を置くスペースを確保し、パソコン作業時には、デスク上に広げてある図面や文書を別の場所へ移してキーボードを置くためのスペースを確保しなければならなかった。
【０００５】
前記特許文献１記載のディスプレイ台のように、ディスプレイ載置部の下側にキーボードを載せる台（キーボード台）が設けられたものを用いることで、筆記作業時に書類を置くスペースを確保することはできるものの、キーボード台を引き出すときには、書類をどかさなければならず、前述のような煩わしさは解消されない。特に、製図のように複数枚の図面を見ながら作業を行う場合には、図面を移動させる回数も多くなるため、単に煩わしいだけでなく、作業効率も悪い。
【０００６】
本発明の解決課題は、デスク上に書類を広げたままキーボードを引き出すことができ、書類を移動させる煩わしさを解消することができ、作業性の向上にも資するディスプレイ台を提供することにある。
【課題を解決するための手段】
【０００７】
本発明のディスプレイ台はデスク上に載置して使用するものであって、ディスプレイを載せる載せ台と、キーボードを載せるキーボード台と、載せ台とキーボード台とを連結する引き出し機構を備えたものであり、キーボード台を、デスクに触れないように水平状態を維持したまま載せ台よりも前方へ引き出すことができるとともに、引き出された位置から載せ台の下側の収容空間に収容できるように、載せ台に取り付けたものである。
【発明の効果】
【０００８】
本発明のディスプレイ台は、キーボード台をデスクに触れないように、水平状態を維持したまま引き出すことができるので、デスク上に書類を広げたままでもキーボードを引き出すことができ、書類を移動させる煩わしさを解消することができる。
【図面の簡単な説明】
【０００９】
【図１】本発明のディスプレイ台の一例を示すものであって、（ａ）はキーボード台を収容空間に収容した状態を示すもの、（ｂ）はキーボード台を引き出した状態を示すもの。
【図２】本発明のディスプレイ台の使用例及び作用を説明するものであって、（ａ）はキーボード台を収容空間に収容した状態を示すもの、（ｂ）はキーボード台を引き出した状態を示すもの。
【図３】本発明のディスプレイ台の一例を示すものであって、（ａ）はキーボード台を収容空間に収容したディスプレイ台の正面図及び背面図、（ｂ）は（ａ）の左側面図及び右側面図。
【図４】（ａ）は図３（ａ）に示すディスプレイ台の平面図、（ｂ）は図３（ａ）に示すディスプレイ台の底面図。
【図５】本発明のディスプレイ台の一例を示すものであって、（ａ）はキーボード台を引き出したディスプレイ台の正面図及び背面図、（ｂ）は（ａ）の左側面図及び右側面図。
【図６】（ａ）は図５（ａ）に示すディスプレイ台の平面図、（ｂ）は図５（ａ）に示すディスプレイ台の底面図。
【発明を実施するための形態】
【００１０】
本発明のディスプレイ台１の一例を、図面を参照して説明する。説明の便宜上、本願では、キーボード台に載せたキーボードの長手方向を横方向と、これに直交する方向を前後方向と、パソコンやデスクを使用する作業者側を手前と、作業者から見た先方側を奥として説明を行う。
【００１１】
一例として図１（ａ）（ｂ）に示すディスプレイ台１は、デスクＡの上に置いて使用するものであって、ディスプレイＢを載せる載せ台２と、キーボードＣを載せるキーボード台３と、載せ台２とキーボード台３とを連結する引き出し機構４を備えている。
【００１２】
前記載せ台２は、ディスプレイＢを載せる天面部２ａと、当該天面部２ａの長手方向両端に当該天面部２ａを所定高さで支持する支持部２ｂを備えた下向きコ字状の台であり、天面部２ａと支持部２ｂで囲われた部分にキーボード台３が収まる広さの収容空間Ｓを備えている。
【００１３】
ディスプレイ台１は、各種材質製とすることができるが、この実施形態では、強度と安定性の観点から、鉄板を曲げ加工したものを用いている。載せ台２は、キーボードＣを打つときに載せ台２に係る荷重によって載せ台２が前傾しない程度の重さとするのが好ましい。この実施形態では載せ台２を鉄製として自重を重くすることで荷重を受けても前傾しないようにしてあるが、場合によっては、載せ台２の後方側に錘（図示しない）を設けて、載せ台２が前傾しないようにすることもできる。この場合、錘は取外し可能なものとすることもできる。
【００１４】
載せ台２の支持部２ｂの下端は内向きに折り曲げてあり、デスクＡが傷付きにくいようにしてある。支持部２ｂの下端には、図示しない滑り止めや傷付き防止用の部材（例えば、ゴム材）などを設けることもできる。
【００１５】
前記キーボード台３は、前記収容空間Ｓに収まる大きさの横長皿状の部材である。その長手方向両端が引き出し機構４を介して載せ台２の支持部２ｂの内面に取り付けられている。一例として図１（ａ）（ｂ）に示すキーボード台３は、キーボードＣを載せるキーボード載せ部３ａと、当該キーボード載せ部３ａの長手方向両端に上向きに立ち上げられた側壁３ｂと、キーボード載せ部３ａの手前側に上向きに立ち上げられた前壁３ｃと、キーボード載せ部３ａの奥側に上向きに立ち上げられた後壁３ｄを備えている。
【００１６】
側壁３ｂは載せ台２の支持部２ｂへの取付け部として、前壁３ｃはキーボードＣが手前側へ飛び出すのを防止する防止壁やキーボードＣを引き出す際の引っ掛け部として、後壁３ｄはキーボードＣの奥側から落ちるのを防止する落下防止壁として機能する。図１（ａ）（ｂ）に示すキーボード台３の形状は一例であり、これ以外の形状とすることもできる。また、前壁３ｃ及び後壁３ｄは必要に応じて設ければよく、不要な場合には設けなくてよい。
【００１７】
この実施形態では、キーボード台３の下側に高さ２０ｍｍ程度の隙間が形成されるように、キーボード台３を支持部２ｂに取り付けてある。２０ｍｍ程度の高さがあれば、デスク上に消しゴムや筆記具、定規、ノート、書類など（本願において「筆記具等」という）Ｄが置かれた状態でも、これらに干渉することなく、キーボード台３をスムーズに引き出すことができる。
【００１８】
また、この実施形態では、キーボード台３を前記位置に取り付けることによって、収容空間Ｓに収容したときに当該収容空間Ｓに手を入れてキーボードＣを操作する（押す）ことができるようにしてある。キーボード台３を収容空間Ｓから引き出すことなくキーボードＣを操作できるようにしておけば、例えば、一つのキーを一回押せば済むような単純なキー操作を行うためだけにキーボード台３を引き出すという無駄な手間を省くことができる。
【００１９】
なお、キーボード台３の底面（例えば、底面の手前側）には受け部材（図示しない）を設けて、キーボードを打つときに係る荷重によって、ディスプレイ台１が前傾しないようにすることもできる。受け部材は、少なくともデスク上の書類に干渉しない位置（例えば、キーボード台３の長手方向両端側）に設けるようにする。受け部材を設ける場合、キーボード台３の受け部材を収容するための凹部を設けておき、受け部材の不使用時にはその凹部にしまっておき、使用時にはその凹部から引き出して（底面側に突出させて）使用できるようにしてもよい。
【００２０】
前記引き出し機構４は、キーボード台３を載せ台２に取り付けて、前後方向にスライドさせるための機構（いわゆるスライド機構）である。この実施形態では、日本アキュライド株式会社製のスライドレール（品番：Ｃ２７３１−２０）を用いているが、引き出し機構４にはこれ以外のものを用いることもできる。この実施形態では、スライドレールを両支持部２ｂの内面に一本ずつ設けてある。両スライドレールは高さ方向の位置と前後方向の位置が一致するようにしてある。スライドレールには、多段階で引き出せるものやロック機構を備えたもの等を用いることもできる。
【００２１】
なお、前記引き出し機構４は一例であり、キーボード台３を収容空間Ｓから手前側に引き出し、引き出されたキーボード台３を収容空間Ｓに戻せるものであれば、スライドレール以外のもの（例えば、レールとそのレール間を移動するタイヤを備えたもの）を用いることもできる。
【００２２】
引き出し機構４を介して載せ台２に取り付けられたキーボード台３は、その底面側がデスクＡに接触しないように、水平状態を維持したまま前後移動できるようにしてある。ここで、水平状態を維持したままとは、引き出したキーボード台３が傾いてデスクＡに接触することなくという意味であり、厳密な意味で水平とは言えない場合も含む概念である。また、前後移動とは、デスクＡを使用する作業者を基準として、手前側から奥側或いはその逆方向への移動、言い換えれば、キーボード台３に載せたキーボードＣの長手方向に直交する方向への移動を意味するものである。したがって、キーボード台３は、収容空間Ｓに収容された位置から作業者側に引き出すことができ、引き出された位置から前記収容空間Ｓに収容することができる。
【００２３】
（作用）
本発明のディスプレイ台１の作用について、図面を参照して説明する。図２（ａ）はデスクＡで筆記作業をしている状態を示すものである。図２（ａ）の状態では、キーボードＣが載せられたキーボード台３は載せ台２の下側の収容空間Ｓに収容され、作業者側に十分な作業スペースが確保されている。この状態で、図２（ｂ）のようにキーボード台３を手前側に引き出すと、キーボード台３は、デスクＡの上に広げられた書類に触れることなく、これらの上に覆いかぶさるようにして引き出される。このとき、キーボード台３は水平状態を維持したまま引き出されるため、デスクＡ上の筆記具等を移動させる必要はない。引き出されたキーボード台３を載せ台２の下側の収容空間Ｓに押し戻せば、そのまま筆記作業を再開することができる。
【００２４】
キーボード台３を収容空間Ｓに収容した状態のディスプレイ台１は、正面及び背面から見た場合には図３（ａ）に示すような形状であり、左側面及び右側面から見た場合には図３（ｂ）に示すような形状であり、平面から見た場合には図４（ａ）に示すような形状であり、底面から見た場合には図４（ｂ）に示すような形状である。また、キーボードを引き出した状態のディスプレイ台１は、正面及び背面から見た場合には図５（ａ）に示すような形状であり、左側面及び右側面から見た場合には図５（ｂ）に示すような形状であり、平面から見た場合には図６（ａ）に示すような形状であり、底面から見た場合には図６（ｂ）に示すような形状である。
【産業上の利用可能性】
【００２５】
本発明のディスプレイ台１は、作業スペースが限られた一つのデスクＡ上で筆記作業とパソコン作業を並行して行う場合に、特に好適に用いることができるものである。
【符号の説明】
【００２６】
１      ディスプレイ台
２      載せ台
２ａ    天面部
２ｂ    支持部
３      キーボード台
３ａ    キーボード載せ部
３ｂ    側壁
３ｃ    前壁
３ｄ    後壁
４      引き出し機構
Ａ      デスク
Ｂ      ディスプレイ
Ｃ      キーボード
Ｄ      筆記具等
Ｓ      収容空間
【図１】
2018067079.tif 000003
【図２】
2018067079.tif 000004
【図３】
2018067079.tif 000005
【図４】
2018067079.tif 000006
【図５】
2018067079.tif 000007
【図６】
2018067079.tif 000008
【手続補正書】
【提出日】平成30年2月8日(2018.2.8)
【手続補正１】
【補正対象書類名】明細書
【補正対象項目名】全文
【補正方法】変更
【補正の内容】
【発明の詳細な説明】
【技術分野】
【０００１】
本発明は、デスク上に載置して使用するディスプレイ台に関するものである。
【背景技術】
【０００２】
デスクトップ型パソコンのディスプレイを載せる台として、ディスプレイ載置部の下側にキーボードを収容可能なもの（特許文献１）が知られている。
【先行技術文献】
【特許文献】
【０００３】
【特許文献１】実用新案登録第３０７７５３１号公報
【発明の概要】
【発明が解決しようとする課題】
【０００４】
近年、文書作成や表計算、製図といった様々な用途にパソコンが用いられている。文書作成や製図などを行う場面では、パソコンを用いる作業（説明の便宜上、以下では「パソコン作業」という）と筆記具を用いる作業（説明の便宜上、以下では「筆記作業」という）を並行して行うことが少なくない。しかしながら、デスク上のスペースは限られていることから、筆記作業時には、キーボードをデスクの端に寄せるかディスプレイの前面や本体の側面に立て掛けるなどして書類を置くスペースを確保し、パソコン作業時には、デスク上に広げてある図面や文書を別の場所へ移してキーボードを置くためのスペースを確保しなければならなかった。
【０００５】
前記特許文献１記載のディスプレイ台のように、ディスプレイ載置部の下側にキーボードを載せる台（キーボード台）が設けられたものを用いることで、筆記作業時に書類を置くスペースを確保することはできるものの、キーボード台を引き出すときには、書類をどかさなければならず、前述のような煩わしさは解消されない。特に、製図のように複数枚の図面を見ながら作業を行う場合には、図面を移動させる回数も多くなるため、単に煩わしいだけでなく、作業効率も悪い。
【０００６】
本発明の解決課題は、デスク上に書類を広げたままキーボードを引き出すことができ、書類を移動させる煩わしさを解消することができ、作業性の向上にも資するディスプレイ台を提供することにある。
【課題を解決するための手段】
【０００７】
本発明のディスプレイ台はデスク上に載置して使用するものであって、ディスプレイを載せる載せ台と、キーボードを載せるキーボード台と、載せ台とキーボード台とを連結する引き出し機構を備えたものであり、キーボード台を、デスクに触れないように水平状態を維持したまま載せ台よりも前方へ引き出すことができるとともに、引き出された位置から載せ台の下側の収容空間に収容できるように、載せ台に取り付けたものである。
【発明の効果】
【０００８】
本発明のディスプレイ台は、キーボード台をデスクに触れないように、水平状態を維持したまま引き出すことができるので、デスク上に書類を広げたままでもキーボードを引き出すことができ、書類を移動させる煩わしさを解消することができる。
【図面の簡単な説明】
【０００９】
【図１】本発明のディスプレイ台の一例を示すものであって、（ａ）はキーボード台を収容空間に収容した状態を示すもの、（ｂ）はキーボード台を引き出した状態を示すもの。
【図２】本発明のディスプレイ台の使用例及び作用を説明するものであって、（ａ）はキーボード台を収容空間に収容した状態を示すもの、（ｂ）はキーボード台を引き出した状態を示すもの。
【図３】本発明のディスプレイ台の一例を示すものであって、（ａ）はキーボード台を収容空間に収容したディスプレイ台の正面図及び背面図、（ｂ）は（ａ）の左側面図及び右側面図。
【図４】（ａ）は図３（ａ）に示すディスプレイ台の平面図、（ｂ）は図３（ａ）に示すディスプレイ台の底面図。
【図５】本発明のディスプレイ台の一例を示すものであって、（ａ）はキーボード台を引き出したディスプレイ台の正面図及び背面図、（ｂ）は（ａ）の左側面図及び右側面図。
【図６】（ａ）は図５（ａ）に示すディスプレイ台の平面図、（ｂ）は図５（ａ）に示すディスプレイ台の底面図。
【発明を実施するための形態】
【００１０】
本発明のディスプレイ台１の一例を、図面を参照して説明する。説明の便宜上、本願では、キーボード台に載せたキーボードの長手方向を横方向と、これに直交する方向を前後方向と、パソコンやデスクを使用する作業者側を手前と、作業者から見た先方側を奥として説明を行う。
【００１１】
一例として図１（ａ）（ｂ）に示すディスプレイ台１は、デスクＡの上に置いて使用するものであって、ディスプレイＢを載せる載せ台２と、キーボードＣを載せるキーボード台３と、載せ台２とキーボード台３とを連結する引き出し機構４を備えている。
【００１２】
前記載せ台２は、ディスプレイＢを載せる天面部２ａと、当該天面部２ａの長手方向両端に当該天面部２ａを所定高さで支持する支持部２ｂを備えた下向きコ字状の台であり、天面部２ａと支持部２ｂで囲われた部分にキーボード台３が収まる広さの収容空間Ｓを備えている。
【００１３】
ディスプレイ台１は、各種材質製とすることができるが、この実施形態では、強度と安定性の観点から、鉄板を曲げ加工したものを用いている。載せ台２は、キーボードＣを打つときに載せ台２に係る荷重によって載せ台２が前傾しない程度の重さとするのが好ましい。この実施形態では載せ台２を鉄製として自重を重くすることで荷重を受けても前傾しないようにしてあるが、場合によっては、載せ台２の後方側に錘（図示しない）を設けて、載せ台２が前傾しないようにすることもできる。この場合、錘は取外し可能なものとすることもできる。
【００１４】
載せ台２の支持部２ｂの下端は内向きに折り曲げてあり、デスクＡが傷付きにくいようにしてある。支持部２ｂの下端には、図示しない滑り止めや傷付き防止用の部材（例えば、ゴム材）などを設けることもできる。
【００１５】
前記キーボード台３は、前記収容空間Ｓに収まる大きさの横長皿状の部材である。その長手方向両端が引き出し機構４を介して載せ台２の支持部２ｂの内面に取り付けられている。一例として図１（ａ）（ｂ）に示すキーボード台３は、キーボードＣを載せるキーボード載せ部３ａと、当該キーボード載せ部３ａの長手方向両端に上向きに立ち上げられた側壁３ｂと、キーボード載せ部３ａの手前側に上向きに立ち上げられた前壁３ｃと、キーボード載せ部３ａの奥側に上向きに立ち上げられた後壁３ｄを備えている。
【００１６】
側壁３ｂは載せ台２の支持部２ｂへの取付け部として、前壁３ｃはキーボードＣが手前側へ飛び出すのを防止する防止壁やキーボードＣを引き出す際の引っ掛け部として、後壁３ｄはキーボードＣの奥側から落ちるのを防止する落下防止壁として機能する。図１（ａ）（ｂ）に示すキーボード台３の形状は一例であり、これ以外の形状とすることもできる。また、前壁３ｃ及び後壁３ｄは必要に応じて設ければよく、不要な場合には設けなくてよい。
【００１７】
この実施形態では、キーボード台３の下側に高さ２０ｍｍ程度の隙間（スライド空間）が形成されるように、キーボード台３を支持部２ｂに取り付けてある。スライド空間は２０ｍｍ程度の高さがあれば、デスク上に消しゴムや筆記具、定規、ノート、書類など（本願において「筆記具等」という）Ｄが置かれた状態でも、これらに干渉することなく、キーボード台３をスムーズに引き出すことができる。
【００１８】
また、この実施形態では、キーボード台３を前記位置に取り付けることによって、キーボード台３を収容空間Ｓに収容したときに当該収容空間Ｓに手を入れてキーボードＣを操作する（押す）ことができるようにしてある。キーボード台３を収容空間Ｓから引き出すことなくキーボードＣを操作できるようにしておけば、例えば、一つのキーを一回押せば済むような単純なキー操作を行うためだけにキーボード台３を引き出すという無駄な手間を省くことができる。
【００１９】
なお、キーボード台３の底面（例えば、底面の手前側）には受け部材（図示しない）を設けて、キーボードを打つときに係る荷重によって、ディスプレイ台１が前傾しないようにすることもできる。受け部材は、少なくともデスク上の書類に干渉しない位置（例えば、キーボード台３の長手方向両端側）に設けるようにする。受け部材を設ける場合、キーボード台３の受け部材を収容するための凹部を設けておき、受け部材の不使用時にはその凹部にしまっておき、使用時にはその凹部から引き出して（底面側に突出させて）使用できるようにしてもよい。
【００２０】
前記引き出し機構４は、キーボード台３を載せ台２に取り付けて、前後方向にスライドさせるための機構（いわゆるスライド機構）である。この実施形態では、日本アキュライド株式会社製のスライドレール（品番：Ｃ２７３１−２０）を用いているが、引き出し機構４にはこれ以外のものを用いることもできる。この実施形態では、スライドレールを両支持部２ｂの内面に一本ずつ設けてある。両スライドレールは高さ方向の位置と前後方向の位置が一致するようにしてある。スライドレールには、多段階で引き出せるものやロック機構を備えたもの等を用いることもできる。
【００２１】
なお、前記引き出し機構４は一例であり、キーボード台３を収容空間Ｓから手前側に引き出し、引き出されたキーボード台３を収容空間Ｓに戻せるものであれば、スライドレール以外のもの（例えば、レールとそのレール間を移動するタイヤを備えたもの）を用いることもできる。
【００２２】
引き出し機構４を介して載せ台２に取り付けられたキーボード台３は、その底面側がデスクＡに接触しないように、水平状態を維持したまま前後移動できるようにしてある。ここで、水平状態を維持したままとは、引き出したキーボード台３が傾いてデスクＡに接触することなくという意味であり、厳密な意味で水平とは言えない場合も含む概念である。また、前後移動とは、デスクＡを使用する作業者を基準として、手前側から奥側或いはその逆方向への移動、言い換えれば、キーボード台３に載せたキーボードＣの長手方向に直交する方向への移動を意味するものである。したがって、キーボード台３は、収容空間Ｓに収容された位置から作業者側に引き出すことができ、引き出された位置から前記収容空間Ｓに収容することができる。
【００２３】
（作用）
本発明のディスプレイ台１の作用について、図面を参照して説明する。図２（ａ）はデスクＡで筆記作業をしている状態を示すものである。図２（ａ）の状態では、キーボードＣが載せられたキーボード台３は載せ台２の下側の収容空間Ｓに収容され、作業者側に十分な作業スペースが確保されている。この状態で、図２（ｂ）のようにキーボード台３を手前側に引き出すと、キーボード台３は、デスクＡの上に広げられた書類に触れることなく、これらの上に覆いかぶさるようにして引き出される。このとき、キーボード台３は水平状態を維持したまま引き出されるため、デスクＡ上の筆記具等を移動させる必要はない。引き出されたキーボード台３を載せ台２の下側の収容空間Ｓに押し戻せば、そのまま筆記作業を再開することができる。
【００２４】
キーボード台３を収容空間Ｓに収容した状態のディスプレイ台１は、正面及び背面から見た場合には図３（ａ）に示すような形状であり、左側面及び右側面から見た場合には図３（ｂ）に示すような形状であり、平面から見た場合には図４（ａ）に示すような形状であり、底面から見た場合には図４（ｂ）に示すような形状である。また、キーボードを引き出した状態のディスプレイ台１は、正面及び背面から見た場合には図５（ａ）に示すような形状であり、左側面及び右側面から見た場合には図５（ｂ）に示すような形状であり、平面から見た場合には図６（ａ）に示すような形状であり、底面から見た場合には図６（ｂ）に示すような形状である。
【産業上の利用可能性】
【００２５】
本発明のディスプレイ台１は、作業スペースが限られた一つのデスクＡ上で筆記作業とパソコン作業を並行して行う場合に、特に好適に用いることができるものである。
【符号の説明】
【００２６】
１      ディスプレイ台
２      載せ台
２ａ    天面部
２ｂ    支持部
３      キーボード台
３ａ    キーボード載せ部
３ｂ    側壁
３ｃ    前壁
３ｄ    後壁
４      引き出し機構
Ａ      デスク
Ｂ      ディスプレイ
Ｃ      キーボード
Ｄ      筆記具等
Ｓ      収容空間
【手続補正２】
【補正対象書類名】特許請求の範囲
【補正対象項目名】全文
【補正方法】変更
【補正の内容】
【特許請求の範囲】
【請求項１】
デスク上に設置して、当該デスク上で使用するデスクトップ型パソコンのディスプレイを載せるディスプレイ台において、
前記ディスプレイを載せる載せ台と、キーボードを載せるキーボード台と、載せ台とキーボード台とを連結する引き出し機構を備え、
前記載せ台は、ディスプレイを載せる天面部と、当該天面部の長手方向両端に当該天面部を所定高さで支持する支持部を備え、
前記天面部と支持部で囲われた部分に、前記キーボード台が収まる広さの収容空間が形成され、
前記両支持部の内側に引き出し機構が取り付けられており、当該引き出し機構は前記収容空間内から手前に段階的に引き出すことも、前記収容空間内に段階的に押し戻すこともできるスライドレールであり、
当該引き出し機構に前記キーボード台が連結されており、当該キーボード台は前記引き出し機構と共に段階的に水平に引き出すことも、段階的に水平に押し戻すこともでき、
前記キーボード台の下には隙間があり、当該隙間は、キーボード台の前記引き出し時も押し戻し時も、キーボード台の底面がデスクの上にある消しゴムや筆記具、定規、ノート、書類といった筆記具等に触れない高さの隙間である、
ことを特徴とするディスプレイ台。
【請求項２】
請求項１記載のディスプレイ台において、
キーボード台はキーボード載せ部の手前側に上向きに立ち上げられた前壁と、キーボード載せ部の奥側に上向きに立ち上げられた後壁を備え、
前壁はキーボード載せ部に載せたキーボードが手前側へ飛び出すのを防止することのできる防止壁であり、後壁はキーボード載せ部に載せたキーボードが奥側から落ちるのを防止する落下防止壁である、
ことを特徴とするディスプレイ台。
【請求項３】
請求項１又は請求項２記載のディスプレイ台において、
キーボード台は、収容空間内に収容されたときに、そのキーボード台の上のキーボードを操作できる程度の空間が確保される位置に設けられた、
ことを特徴とするディスプレイ台。